(57)【要約】【課題】定着ベルトが過昇温していないにも関わらず加熱停止装置が作動してしまうのを抑制しつつ、定着ベルトが周方向に破断した場合に加熱停止装置を適切なタイミングで作動させる。【解決手段】本発明の定着装置１８は、定着ベルト２２と、定着ベルト２２に圧接して定着ニップ３９を形成する加圧部材２３と、定着ベルト２２を加熱する熱源２４と、定着ベルト２２の外周面と対向する加熱停止装置２９と、定着ベルト２２の内周面と対向する変形抑制部材３１と、を備え、定着ベルト２２が周方向に破断していない状態では、定着ベルト２２と変形抑制部材３１が間隔を介して設けられ、定着ベルト２２が周方向に破断すると、定着ベルト２２が変形して変形抑制部材３１に接触し、加熱停止装置２９から離間する側への定着ベルト２２の変形が抑制されることを特徴とする。【選択図】図５
2016090889.tif 000002
【特許請求の範囲】
【請求項１】
回転軸の周りを回転可能に設けられる定着ベルトと、
前記定着ベルトに圧接して定着ニップを形成し、回転可能に設けられる加圧部材と、
前記定着ベルトを加熱する熱源と、
前記定着ベルトを前記加圧部材側に向かって押圧する押圧部材と、
前記定着ベルトの外周面と対向し、所定の温度で作動して前記熱源による前記定着ベルトの加熱を停止させる加熱停止装置と、
前記定着ベルトの内周面と対向する変形抑制部材と、を備え、
前記定着ベルトが周方向に破断していない状態では、前記定着ベルトと前記変形抑制部材が間隔を介して設けられ、
前記定着ベルトが周方向に破断すると、前記定着ベルトが変形して前記変形抑制部材に接触し、前記加熱停止装置から離間する側への前記定着ベルトの変形が抑制されることを特徴とする定着装置。
【請求項２】
前記定着ベルトは、
前記熱源に最も接近する第１の部分と、
記録媒体の搬送方向において前記第１の部分の両側に設けられる第２の部分と、を備え、
前記変形抑制部材は、前記第１の部分の内周面とは対向せず、前記第２の部分の内周面と対向することを特徴とする請求項１に記載の定着装置。
【請求項３】
前記定着ベルトは、
前記熱源に最も接近する第１の部分と、
記録媒体の搬送方向において前記第１の部分の両側に設けられる第２の部分と、を備え、
前記変形抑制部材は、前記熱源から放射される輻射熱を透過させる材料で形成されると共に、少なくとも前記第１の部分の内周面と対向することを特徴とする請求項１に記載の定着装置。
【請求項４】
前記定着ベルトは、
基材層と、
前記基材層に周設される弾性層と、
前記弾性層を被覆する離型層と、を備え、
前記変形抑制部材の熱膨張率は、前記定着ベルトの前記基材層の熱膨張率よりも大きく、
前記定着ベルトが周方向に破断すると、前記変形抑制部材が熱膨張により変形して前記定着ベルトを前記加熱停止装置側に向かって押圧し、前記定着ベルトが前記加熱停止装置に接触することを特徴とする請求項１〜３のいずれか１項に記載の定着装置。
【請求項５】
前記変形抑制部材は、前記定着ベルトの前記回転軸方向の全域に亘って設けられていることを特徴とする請求項１〜４のいずれか１項に記載の定着装置。
【請求項６】
前記熱源は、前記定着ベルトの内径側に配置されると共に、前記回転軸に対して偏った位置に設けられ、
前記加熱停止装置は、前記定着ベルトのうちで前記熱源に最も接近する部分の外周面と対向していることを特徴とする請求項１〜５のいずれか１項に記載の定着装置。
【請求項７】
請求項１〜６のいずれか１項に記載の定着装置を備えていることを特徴とする画像形成装置。
【発明の詳細な説明】
【技術分野】
【０００１】
本発明は、記録媒体にトナー像を定着させる定着装置と、この定着装置を備えた画像形成装置に関する。
【背景技術】
【０００２】
従来、複写機やプリンターなどの電子写真方式の画像形成装置は、用紙などの記録媒体にトナー像を定着させる定着装置を備えている。
【０００３】
例えば、定着ベルトと、定着ベルトに圧接して定着ニップを形成する加圧部材と、定着ベルトを加熱する熱源と、定着ベルトの外周面と対向する加熱停止装置と、を備えた定着装置が知られている（特許文献１参照）。このような定着装置では、定着ベルトが過昇温すると、加熱停止装置が作動して、熱源による定着ベルトの加熱が停止されるようになっている。
【先行技術文献】
【特許文献】
【０００４】
【特許文献１】特開２０１３−１７８４７２号公報
【発明の概要】
【発明が解決しようとする課題】
【０００５】
上記のような定着装置において、定着ベルトと加熱停止装置の対向間隔が狭すぎると、定着ベルトが過昇温していないにも関わらず加熱停止装置が作動してしまう恐れがある。一方で、定着ベルトが周方向に破断した場合に、定着ベルトと加熱停止装置の対向間隔が広くなると、加熱停止装置が作動するタイミングが遅くなってしまう恐れがある。
【０００６】
そこで、本発明は上記事情を考慮し、定着ベルトが過昇温していないにも関わらず加熱停止装置が作動してしまうのを抑制しつつ、定着ベルトが周方向に破断した場合に加熱停止装置を適切なタイミングで作動させることを目的とする。
【課題を解決するための手段】
【０００７】
本発明の定着装置は、回転軸の周りを回転可能に設けられる定着ベルトと、前記定着ベルトに圧接して定着ニップを形成し、回転可能に設けられる加圧部材と、前記定着ベルトを加熱する熱源と、前記定着ベルトを前記加圧部材側に向かって押圧する押圧部材と、前記定着ベルトの外周面と対向し、所定の温度で作動して前記熱源による前記定着ベルトの加熱を停止させる加熱停止装置と、前記定着ベルトの内周面と対向する変形抑制部材と、を備え、前記定着ベルトが周方向に破断していない状態では、前記定着ベルトと前記変形抑制部材が間隔を介して設けられ、前記定着ベルトが周方向に破断すると、前記定着ベルトが変形して前記変形抑制部材に接触し、前記加熱停止装置から離間する側への前記定着ベルトの変形が抑制されることを特徴とする。
【０００８】
上記のように、定着ベルトが周方向に破断していない状態では、定着ベルトと変形抑制部材が間隔を介して設けられているため、定着ベルトの熱が変形抑制部材に逃げるのを抑制することが可能となる。これに伴って、熱源によって定着ベルトを集中的に加熱することが可能となり、定着ベルトの昇温時間を短縮することができる。
【０００９】
また、上記のように、定着ベルトが周方向に破断した場合には、加熱停止装置から離間する側への定着ベルトの変形が抑制されるため、定着ベルトと加熱停止装置の対向間隔が広くなるのを抑制することが可能となる。これに伴って、加熱停止装置を適切なタイミングで作動させることが可能となる。
【００１０】
更に、上記のように、定着ベルトが周方向に破断した場合に加熱停止装置から離間する側への定着ベルトの変形が抑制されるため、定着ベルトが周方向に破断した場合に定着ベルトと加熱停止装置の対向間隔が広くなりすぎないように予め定着ベルトと加熱停止装置の対向間隔を狭く設定しておく必要が無い。そのため、定着ベルトと加熱停止装置の対向間隔を広く設定することが可能となり、定着ベルトが過昇温していないにも関わらず加熱停止装置が作動してしまうような事態を回避することが可能となる。
【００１１】
前記定着ベルトは、前記熱源に最も接近する第１の部分と、記録媒体の搬送方向において前記第１の部分の両側に設けられる第２の部分と、を備え、前記変形抑制部材は、前記第１の部分の内周面とは対向せず、前記第２の部分の内周面と対向しても良い。
【００１２】
上記のように変形抑制部材を定着ベルトの第１の部分の内周面とは対向させないことで、熱源から定着ベルトの第１の部分に向かう輻射熱が変形抑制部材によって遮断されるのを抑制することが可能となる。これに伴って、熱源によって定着ベルトを効率的に加熱することが可能となる。
【００１３】
また、上記のように変形抑制部材を定着ベルトの第２の部分の内周面と対向させることで、定着ベルトの変形を抑制する機能を高めることが可能となる。
【００１４】
前記定着ベルトは、前記熱源に最も接近する第１の部分と、記録媒体の搬送方向において前記第１の部分の両側に設けられる第２の部分と、を備え、前記変形抑制部材は、前記熱源から放射される輻射熱を透過させる材料で形成されると共に、少なくとも前記第１の部分の内周面と対向しても良い。
【００１５】
上記のように熱源から放射される輻射熱を透過させる材料で変形抑制部材を形成することで、変形抑制部材を定着ベルトの第１の部分の内周面と対向させても、熱源から定着ベルトの第１の部分に向かう輻射熱が変形抑制部材によって遮断されなくなる。これに伴って、熱源によって定着ベルトを効率的に加熱することが可能となる。
【００１６】
また、上記のように変形抑制部材を少なくとも定着ベルトの第１の部分の内周面と対向させることで、定着ベルトの変形を抑制する機能を高めることが可能となる。
【００１７】
前記定着ベルトは、基材層と、前記基材層に周設される弾性層と、前記弾性層を被覆する離型層と、を備え、前記変形抑制部材の熱膨張率は、前記定着ベルトの前記基材層の熱膨張率よりも大きく、前記定着ベルトが周方向に破断すると、前記変形抑制部材が熱膨張により変形して前記定着ベルトを前記加熱停止装置側に向かって押圧し、前記定着ベルトが前記加熱停止装置に接触しても良い。
【００１８】
このような構成を採用することで、定着ベルトが周方向に破断した場合に、加熱停止装置を確実に作動させることが可能となる。
【００１９】
前記変形抑制部材は、前記定着ベルトの前記回転軸方向の全域に亘って設けられていても良い。
【００２０】
このような構成を採用することで、回転軸方向のいずれの位置で定着ベルトが周方向に破断していても、加熱停止装置から離間する側への定着ベルトの変形を確実に抑制することが可能となる。
【００２１】
前記熱源は、前記定着ベルトの内径側に配置されると共に、前記回転軸に対して偏った位置に設けられ、前記加熱停止装置は、前記定着ベルトのうちで前記熱源に最も接近する部分の外周面と対向していても良い。
【００２２】
定着ベルトのうちで熱源に最も接近する部分は、定着ベルトのうちで最も過昇温しやすい部分である。そのため、上記のように定着ベルトのうちで熱源に最も接近する部分の外周面に加熱停止装置を対向させることで、定着ベルトの過昇温を確実に防止することができる。
【００２３】
本発明の画像形成装置は、上記したいずれかの定着装置を備えていることを特徴とする。
【発明の効果】
【００２４】
本発明によれば、定着ベルトが過昇温していないにも関わらず加熱停止装置が作動してしまうのを抑制しつつ、定着ベルトが周方向に破断した場合に加熱停止装置を適切なタイミングで作動させることが可能となる。
【図面の簡単な説明】
【００２５】
【図１】本発明の一実施形態に係るプリンターの概略を示す模式図である。
【図２】本発明の一実施形態に係る定着装置を示す断面図である。
【図３】本発明の一実施形態に係る定着装置を示す側面図である。
【図４】本発明の一実施形態に係る定着装置の制御システムを示すブロック図である。
【図５】本発明の一実施形態に係る定着装置において、定着ベルトが周方向に破断した状態を示す断面図である。
【図６】本発明の他の異なる実施形態に係る定着装置において、定着ベルトが周方向に破断した状態を示す断面図である。
【図７】本発明の他の異なる実施形態に係る定着装置を示す断面図である。
【発明を実施するための形態】
【００２６】
まず、図１を用いて、電子写真方式のプリンター１（画像形成装置）の全体の構成について説明する。以下、図１における紙面手前側を、プリンター１の前側とする。各図に適宜付される矢印Ｆｒ、Ｒｒ、Ｌ、Ｒ、Ｕ、Ｌｏは、それぞれプリンター１の前側、後側、左側、右側、上側、下側を示している。
【００２７】
プリンター１は、箱型形状のプリンター本体２を備えており、プリンター本体２の下部には用紙（記録媒体）を収納する給紙カセット３が収容され、プリンター本体２の上面には排紙トレイ４が設けられている。プリンター本体２の上面には、排紙トレイ４の側方に上カバー５が開閉可能に取り付けられ、上カバー５の下方には、トナーコンテナ６が収納されている。
【００２８】
プリンター本体２の上部には、排紙トレイ４の下方にレーザー・スキャニング・ユニット（ＬＳＵ）で構成される露光器７が配置され、露光器７の下方には、画像形成部８が設けられている。画像形成部８には、像担持体である感光体ドラム１０が回転可能に設けられており、感光体ドラム１０の周囲には、帯電器１１と、現像器１２と、転写ローラー１３と、クリーニング装置１４とが、感光体ドラム１０の回転方向（図１の矢印Ｘ参照）に沿って配置されている。
【００２９】
プリンター本体２の内部には、用紙の搬送経路１５が設けられている。搬送経路１５の上流端には給紙部１６が設けられ、搬送経路１５の中流部には、感光体ドラム１０と転写ローラー１３によって構成される転写部１７が設けられ、搬送経路１５の下流部には定着装置１８が設けられ、搬送経路１５の下流端には排紙部２０が設けられている。搬送経路１５の下方には、両面印刷用の反転経路２１が形成されている。
【００３０】
次に、このような構成を備えたプリンター１の画像形成動作について説明する。
【００３１】
プリンター１に電源が投入されると、各種パラメーターが初期化され、定着装置１８の温度設定等の初期設定が実行される。そして、プリンター１に接続されたコンピューター等から画像データが入力され、印刷開始の指示がなされると、以下のようにして画像形成動作が実行される。
【００３２】
まず、帯電器１１によって感光体ドラム１０の表面が帯電された後、露光器７からのレーザー光（図１の二点鎖線Ｐ参照）により感光体ドラム１０に対して画像データに対応した露光が行われ、感光体ドラム１０の表面に静電潜像が形成される。次に、この静電潜像を、現像器１２がトナーによりトナー像に現像する。
【００３３】
一方、給紙部１６によって給紙カセット３から取り出された用紙は、上記した画像形成動作とタイミングを合わせて転写部１７へと搬送され、転写部１７において感光体ドラム１０上のトナー像が用紙に転写される。トナー像を転写された用紙は、搬送経路１５を下流側へと搬送されて定着装置１８に進入し、この定着装置１８において用紙にトナー像が定着される。トナー像が定着された用紙は、排紙部２０から排紙トレイ４に排出される。なお、感光体ドラム１０上に残留したトナーは、クリーニング装置１４によって回収される。
【００３４】
次に、図２、図３を用いて、定着装置１８について詳細に説明する。図２の矢印Ｙは、用紙の搬送方向を示している。図３の矢印Ｉは前後方向内側を示し、図３の矢印Ｏは前後方向外側を示している。
【００３５】
図２、図３等に示されるように、定着装置１８は、定着ベルト２２と、定着ベルト２２の下側（外側）に配置される加圧ローラー２３（加圧部材）と、定着ベルト２２の内径側に配置されるヒーター２４（熱源）と、定着ベルト２２の内径側においてヒーター２４の下側に配置される反射板２５（反射部材）と、定着ベルト２２の内径側において反射板２５の下側に配置される支持部材２６と、定着ベルト２２の内径側において支持部材２６の下側に配置される押圧部材２７と、定着ベルト２２の内径側において支持部材２６の前後両端部に固定されるカバー部材２８と、定着ベルト２２の上側（外側）に配置されるサーモカット２９（加熱停止装置）と、定着ベルト２２の前後両端部に装着される形状規制部材３０と、定着ベルト２２の内径側においてヒーター２４よりも上側に配置される変形抑制部材３１と、を備えている。なお、図３においては、定着ベルト２２の内部が透視されている。
【００３６】
定着ベルト２２は、前後方向に長い略円筒状を成している。定着ベルト２２は、前後方向に延びる回転軸Ａの周りを回転可能に設けられている。つまり、本実施形態では、前後方向が定着ベルト２２の回転軸方向である。
【００３７】
定着ベルト２２は、可撓性を有しており、周方向には無端状である。定着ベルト２２は、例えば、基材層３５と、この基材層３５に周設される弾性層３６と、この弾性層３６を被覆する離型層３７と、を備えている。定着ベルト２２の基材層３５は、例えばＳＵＳやニッケルなどの金属によって形成されている。なお、定着ベルト２２の基材層３５は、ＰＩ（ポリイミド）などの樹脂によって形成されていても良い。定着ベルト２２の弾性層３６は、例えばシリコンゴムによって形成されており、定着ベルト２２の基材層３５よりも熱膨張率が大きい。定着ベルト２２の弾性層３６の厚みは、例えば２７０μｍである。定着ベルト２２の離型層３７は、例えばＰＦＡチューブによって形成されている。定着ベルト２２の離型層３７の厚みは、例えば２０μｍである。
【００３８】
定着ベルト２２の上部（加圧ローラー２３から離間する側の部分）には、第１の部分Ｐ１と、第１の部分Ｐ１の左右両側（用紙の搬送方向における両側）に設けられる第２の部分Ｐ２と、が形成されている。第１の部分Ｐ１は、定着ベルト２２の上端部に位置しており、定着ベルト２２のうちでヒーター２４に最も接近している。各第２の部分Ｐ２は、第１の部分Ｐ１よりもヒーター２４から僅かに離間している。
【００３９】
定着ベルト２２は、通紙領域Ｒ１と、通紙領域Ｒ１の前後両側（通紙領域Ｒ１の前後方向外側）に設けられる非通紙領域Ｒ２と、を備えている。通紙領域Ｒ１は、最大サイズの用紙が通過する領域である。非通紙領域Ｒ２は、最大サイズの用紙が通過しない領域である。
【００４０】
加圧ローラー２３は、前後方向に長い略円柱状を成している。加圧ローラー２３は、定着ベルト２２に圧接しており、定着ベルト２２と加圧ローラー２３の間には定着ニップ３９が形成されている。加圧ローラー２３は、回転可能に設けられている。
【００４１】
加圧ローラー２３は、例えば、円柱状の芯材４０と、この芯材４０に周設される弾性層４１と、この弾性層４１を被覆する離型層４２と、を備えている。加圧ローラー２３の芯材４０は、例えば、鉄等の金属によって形成されている。加圧ローラー２３の弾性層４１は、例えば、シリコンゴムによって形成されている。加圧ローラー２３の離型層４２は、例えば、ＰＦＡチューブによって形成されている。
【００４２】
ヒーター２４は、例えば、ハロゲンヒーターによって構成されている。ヒーター２４は、定着ベルト２２の内部空間の上部（加圧ローラー２３から離間する側の部分）に配置されており、定着ベルト２２の回転軸Ａに対して上側（加圧ローラー２３から離間する側）に偏った位置に設けられている。
【００４３】
反射板２５は、前後方向に長い形状を成している。反射板２５は、例えば、光輝アルミニウム等の金属によって形成されている。反射板２５は、ヒーター２４と支持部材２６の間に配置されている。反射板２５の断面は、上側（加圧ローラー２３から離間する側）に向かって凸となるコ字状を成している。
【００４４】
反射板２５は、略水平に設けられる本体部４４と、本体部４４の左右両端部（用紙の搬送方向における上流側と下流側の端部）から下方に向かって屈曲されるガイド部４５と、を備えている。本体部４４の上面は、ヒーター２４に対向しており、ヒーター２４から放射される輻射熱を定着ベルト２２の内周面に向かって反射する反射面（鏡面）である。
【００４５】
支持部材２６は、前後方向に長い形状を成している。支持部材２６の上部は、反射板２５の各ガイド部４５の間に挿入されている。支持部材２６は、スペーサー５１を介して反射板２５を支持しており、反射板２５と直接的には接触していない。支持部材２６は、一対のＬ字状の板金５２を組み合わせることで形成されており、略矩形の断面形状を有している。支持部材２６の右下隅部には、下方に向かって突出する係合突起５３が設けられている。係合突起５３は、一方の板金５２を下方に延出させることによって形成されている。
【００４６】
押圧部材２７は、前後方向に長い平板状を成している。押圧部材２７は、例えば、ＬＣＰ（液晶ポリマー）等の耐熱性樹脂によって形成されている。押圧部材２７の上面の右端部には、係合凹部５５が設けられている。係合凹部５５には、支持部材２６の係合突起５３が係合している。押圧部材２７の上面には、複数のボス５６が突設されている。各ボス５６の上端部は、支持部材２６の下面に当接している。以上のような構成により、支持部材２６によって押圧部材２７が支持されており、押圧部材２７の反りが規制されている。
【００４７】
押圧部材２７の下面の右側部分（用紙の搬送方向下流側の部分）は、左側（用紙の搬送方向上流側）から右側（用紙の搬送方向下流側）に向かって下側（加圧ローラー２３側）に傾斜している。押圧部材２７の下面は、定着ベルト２２を下側（加圧ローラー２３側）に向かって押圧している。
【００４８】
各カバー部材２８は、正面視で略Ｕ字状を成している。各カバー部材２８は、定着ベルト２２の各非通紙領域Ｒ２と前後方向の位置が対応しており、ヒーター２４から定着ベルト２２の各非通紙領域Ｒ２に向かう輻射熱を遮断する機能を有している。
【００４９】
各カバー部材２８は、上方に向かって円弧状に湾曲する湾曲部５７と、湾曲部５７の左右両端部（用紙の搬送方向における上流側と下流側の端部）から下方に向かって屈曲される取付部５８と、を備えている。湾曲部５７は、定着ベルト２２の内周面に沿って配置されている。各取付部５８の下端部は、支持部材２６の左右両側面に取り付けられている。
【００５０】
サーモカット２９は、例えば、バイメタル方式（熱膨張率の異なる２種類の金属によって接点を構成する方式）のサーモスタットである。サーモカット２９は、定着ベルト２２の第１の部分Ｐ１（定着ベルト２２のうちでヒーター２４に最も接近する部分）の直上に配置されており、定着ベルト２２の第１の部分Ｐ１の外周面と対向している。サーモカット２９は、定着ベルト２２の通紙領域Ｒ１の前後方向中央部Ｚ（定着ベルト２２全体の前後方向中央部にも相当する）と対応する位置に設けられている。
【００５１】
各形状規制部材３０は、各カバー部材２８よりも前後方向外側に配置されている。各形状規制部材３０は、規制片６０と、規制片６０に取り付けられるリング片６１と、を備えている。
【００５２】
各形状規制部材３０の規制片６０は、基台部６２と、基台部６２の前後方向内側の面に突設される規制部６３と、を備えている。規制片６０には、基台部６２と規制部６３を貫通する貫通穴６４が前後方向に沿って設けられており、この貫通穴６４をヒーター２４が貫通している。規制部６３は、貫通穴６４の外周に沿って円弧状に湾曲しており、略下向きＣ字状を成している。規制部６３は、定着ベルト２２の前後両端部に挿入されている。これにより、定着ベルト２２の形状が規制されている（定着ベルト２２の変形が抑制されている）。規制部６３の上端部（頂部）は、定着ベルト２２の通常使用時（定着ベルト２２が周方向に破断していない時）に、定着ベルト２２の内周面に当接している。
【００５３】
各形状規制部材３０のリング片６１は、円環状を成している。リング片６１は、規制片６０の規制部６３の外周に装着されている。リング片６１は、定着ベルト２２の前後両端部の前後方向外側に配置されており、定着ベルト２２の蛇行（前後方向外側への移動）を規制している。リング片６１は、規制片６０の基台部６２の前後方向内側に配置されており、これにより、リング片６１の前後方向外側への移動が規制されている。
【００５４】
変形抑制部材３１は、定着ベルト２２の回転軸Ａよりも上側で、且つ、ヒーター２４の直上を除く位置に設けられている。変形抑制部材３１は、前後方向に延びており、定着ベルト２２の前後方向の全域に亘って設けられている。変形抑制部材３１の前後両端部は、各形状規制部材３０に固定されているか、又は、各形状規制部材３０を保持する定着フレーム（図示せず）に固定されている。変形抑制部材３１の熱膨張率は、定着ベルト２２の基材層３５の熱膨張率以下である。
【００５５】
変形抑制部材３１は、ヒーター２４の左上側に配置される上流側部分６７と、上流側部分６７とは間隔を介してヒーター２４の右上側に配置される下流側部分６８と、を備えている。変形抑制部材３１の上流側部分６７と下流側部分６８は、定着ベルト２２よりも前後方向外側において接続されていても良いし、接続されていなくても良い。変形抑制部材３１の上流側部分６７は、定着ベルト２２の第１の部分Ｐ１の内周面とは対向せず、定着ベルト２２の第１の部分Ｐ１よりも左側（用紙の搬送方向上流側）に設けられる第２の部分Ｐ２（以下、「左側の第２の部分Ｐ２」）の内周面と対向している。変形抑制部材３１の下流側部分６８は、定着ベルト２２の第１の部分Ｐ１の内周面とは対向せず、定着ベルト２２の第１の部分Ｐ１よりも右側（用紙の搬送方向下流側）に設けられる第２の部分Ｐ２（以下、「右側の第２の部分Ｐ２」）の内周面と対向している。
【００５６】
次に、定着装置１８の制御システムについて、図４を用いて説明する。
【００５７】
定着装置１８には、制御部７１（ＣＰＵ）が設けられている。制御部７１は、ＲＯＭ、ＲＡＭ等の記憶装置で構成される記憶部７２と接続されており、記憶部７２に格納された制御プログラムや制御用データに基づいて、制御部７１が定着装置１８の各部の制御を行うように構成されている。記憶部７２は、サーモカット２９の作動温度Ｔを記憶している。
【００５８】
制御部７１はモーター等によって構成される駆動源７３に接続されており、駆動源７３は加圧ローラー２３に接続されている。そして、制御部７１からの信号に基づいて駆動源７３が加圧ローラー２３を回転させるようになっている。
【００５９】
制御部７１は電源７４に接続されており、電源７４はヒーター２４に接続されている。そして、制御部７１からの信号に基づいて電源７４からヒーター２４に電力が供給されることでヒーター２４が稼働するようになっている。電源７４からヒーター２４に至る電力供給経路中には、サーモカット２９が設けられている。サーモカット２９は、作動温度Ｔで作動して電源７４からヒーター２４への電力の供給を遮断し、ヒーター２４による定着ベルト２２の加熱を停止させるように構成されている。
【００６０】
上記のように構成された定着装置１８において、用紙にトナー像を定着させる際には、駆動源７３によって加圧ローラー２３を回転させる（図２の矢印Ｂ参照）。このように加圧ローラー２３が回転すると、加圧ローラー２３に圧接する定着ベルト２２が加圧ローラー２３とは逆方向に従動回転する（図２の矢印Ｃ参照）。このように定着ベルト２２が回転すると、定着ベルト２２が押圧部材２７に対して摺動する。
【００６１】
また、用紙にトナー像を定着させる際には、電源７４からヒーター２４に電力を供給し、ヒーター２４を稼働させる。このようにヒーター２４が稼働すると、ヒーター２４から輻射熱が放射される。ヒーター２４から放射された輻射熱の一部は、図２に矢印Ｄで示されるように、定着ベルト２２の内周面に直接照射され、吸収される。また、ヒーター２４から放射された輻射熱の別の一部は、図２に矢印Ｅで示されるように、反射板２５の本体部４４の上面によって定着ベルト２２の内周面に向かって反射され、定着ベルト２２の内周面に吸収される。以上のような作用により、ヒーター２４によって定着ベルト２２が加熱される。この状態で、用紙が定着ニップ３９を通過すると、トナー像が加熱されて溶融し、用紙にトナー像が定着される。
【００６２】
ところで、上記のように構成された定着装置１８においては、定着ベルト２２が停止するのに伴ってヒーター２４による定着ベルト２２に対する加熱が停止された場合であっても、定着ベルト２２の第１の部分Ｐ１がヒーター２４の余熱によって局所的に加熱されてオーバーシュート（温度上昇）することがある。もし定着ベルト２２の第１の部分Ｐ１とサーモカット２９の対向間隔が狭すぎると、上記のように定着ベルト２２の第１の部分Ｐ１がオーバーシュートした場合に、定着ベルト２２が過昇温していないにも関わらずサーモカット２９が作動してしまう恐れがある。サーモカット２９が一度作動すると、サーモカット２９を作動前の状態に復元するのは困難であるため、通常は定着装置１８全体の交換が必要となる。
【００６３】
このような事態を回避するためには、定着ベルト２２の第１の部分Ｐ１とサーモカット２９の対向間隔を広くする必要がある。ところが、このように対向間隔を広くすると、今度は、定着ベルト２２が過昇温した時にサーモカット２９が作動するタイミングが遅くなってしまう恐れがある。特に、本実施形態のように定着ベルト２２を平板状の押圧部材２７によって下側に押圧する構成を採用する場合、定着ベルト２２が周方向に破断した時に定着ベルト２２が横長楕円状に変形する恐れがある。このように定着ベルト２２が横長楕円状に変形すると、定着ベルト２２の第１の部分Ｐ１とサーモカット２９の対向間隔が一層広くなってしまい、サーモカット２９が作動するタイミングが一層遅くなってしまう恐れがある。そこで、本実施形態では以下のようにして、定着ベルト２２が周方向に破断した時でもサーモカット２９を適切なタイミングで作動させている。
【００６４】
図２に示されるように、定着ベルト２２の通常使用時（定着ベルト２２が周方向に破断していない時）には、定着ベルト２２の左側の第２の部分Ｐ２と変形抑制部材３１の上流側部分６７が間隔を介して設けられると共に、定着ベルト２２の右側の第２の部分Ｐ２と変形抑制部材３１の下流側部分６８が間隔を介して設けられている。そのため、定着ベルト２２の熱が変形抑制部材３１に逃げるのを抑制することが可能となる。これに伴って、ヒーター２４によって定着ベルト２２を集中的に加熱することが可能となり、定着ベルト２２の昇温時間を短縮することができる。
【００６５】
これに対して、定着ベルト２２が周方向に破断すると、図５に示されるように、定着ベルト２２の上部（加圧ローラー２３から離間する側の部分）が下側（サーモカット２９から離間する側）に変形する。この変形により、定着ベルト２２の左側の第２の部分Ｐ２が変形抑制部材３１の上流側部分６７に接触すると共に、定着ベルト２２の右側の第２の部分Ｐ２が変形抑制部材３１の下流側部分６８に接触する。これに伴って、定着ベルト２２の上部の下側（サーモカット２９から離間する側）への変形が抑制されるため、定着ベルト２２は横長楕円状に変形しない。
【００６６】
この状態で、ヒーター２４が定着ベルト２２を加熱し続けると、定着ベルト２２の温度が上昇すると共に、定着ベルト２２の第１の部分Ｐ１の外周面と対向するサーモカット２９の温度も上昇する。これに伴って、サーモカット２９の温度が作動温度Ｔに到達し、サーモカット２９が作動して、電源７４からヒーター２４への電力供給が停止される。そのため、ヒーター２４による定着ベルト２２の加熱も停止される。
【００６７】
本実施形態では上記のように、定着ベルト２２が周方向に破断した場合に、定着ベルト２２の上部の下側（サーモカット２９から離間する側）への変形が抑制される。そのため、定着ベルト２２の第１の部分Ｐ１とサーモカット２９の対向間隔が広くなるのを抑制することが可能となる。これに伴って、サーモカット２９を適切なタイミングで作動させることが可能となる。
【００６８】
また、定着ベルト２２が周方向に破断した場合には定着ベルト２２の上部の下側（サーモカット２９から離間する側）への変形が抑制されるため、定着ベルト２２が周方向に破断した場合に定着ベルト２２の第１の部分Ｐ１とサーモカット２９の対向間隔が広くなりすぎないように予め定着ベルト２２の第１の部分Ｐ１とサーモカット２９の対向間隔を狭くしておく必要が無い。従って、定着ベルト２２の第１の部分Ｐ１とサーモカット２９の対向間隔を広く設定することが可能となり、定着ベルト２２が過昇温していないにも関わらずサーモカット２９が作動してしまうような事態を回避することが可能となる。
【００６９】
また、変形抑制部材３１の上流側部分６７及び下流側部分６８は、定着ベルト２２の第１の部分Ｐ１の内周面とは対向せず、定着ベルト２２の各第２の部分Ｐ２の内周面とそれぞれ対向している。上記のように変形抑制部材３１の上流側部分６７及び下流側部分６８を定着ベルト２２の第１の部分Ｐ１の内周面とは対向させないことで、ヒーター２４から定着ベルト２２の第１の部分Ｐ１に向かう輻射熱が変形抑制部材３１によって遮断されるのを抑制することが可能となる（図２の矢印Ｄ参照）。これに伴って、ヒーター２４によって定着ベルト２２を効率的に加熱することが可能となる。また、上記のように変形抑制部材３１の上流側部分６７及び下流側部分６８を定着ベルト２２の各第２の部分Ｐ２の内周面とそれぞれ対向させることで、定着ベルト２２の変形を抑制する機能を高めることが可能となる。
【００７０】
また、変形抑制部材３１は、定着ベルト２２の前後方向の全域に亘って設けられている。このような構成を採用することで、前後方向のいずれの位置で定着ベルト２２が周方向に破断していても、定着ベルト２２の上部の下側（サーモカット２９から離間する側）への変形を確実に抑制することが可能となる。
【００７１】
また、ヒーター２４は、定着ベルト２２の内径側に配置されると共に、定着ベルト２２の回転軸Ａに対して上側（加圧ローラー２３から離間する側）に偏った位置に設けられ、サーモカット２９は、定着ベルト２２の第１の部分Ｐ１（定着ベルト２２のうちでヒーター２４に最も接近する部分）の外周面と対向している。定着ベルト２２の第１の部分Ｐ１は、定着ベルト２２のうちで最も過昇温しやすい部分であるため、上記のように定着ベルト２２の第１の部分Ｐ１の外周面にサーモカット２９を対向させることで、定着ベルト２２の過昇温を確実に防止することができる。
【００７２】
本実施形態では、変形抑制部材３１の熱膨張率が定着ベルト２２の基材層３５の熱膨張率以下である場合について説明した。一方で、他の異なる実施形態では、変形抑制部材３１の熱膨張率が定着ベルト２２の基材層３５の熱膨張率よりも大きくても良い。このような構成を採用することで、定着ベルト２２が周方向に破断した場合に、図６に示されるように、変形抑制部材３１の上流側部分６７及び下流側部分６８が熱膨張により変形して定着ベルト２２の各第２の部分Ｐ２を上側（サーモカット２９側）に向かって押圧することになる。これに伴って、定着ベルト２２の第１の部分Ｐ１をサーモカット２９に接触させ、サーモカット２９を確実に作動させることが可能となり、ヒーター２４による定着ベルト２２の加熱を確実に停止させることができる。なお、変形抑制部材３１の熱膨張率を定着ベルト２２の基材層３５の熱膨張率よりも大きくするためには、例えば、変形抑制部材３１をアルミニウムで形成し、定着ベルト２２の基材層３５をＳＵＳで形成する。
【００７３】
また、他の異なる実施形態では、図７に示されるように、定着ベルト２２よりも剛性が高く、且つ、ヒーター２４から放射される輻射熱（赤外線）を透過させる材料（例えば、石英ガラス）で変形抑制部材３１が形成されると共に、定着ベルト２２の第１の部分Ｐ１及び各第２の部分Ｐ２の内周面と変形抑制部材３１が対向していても良い。上記のようにヒーター２４から放射される輻射熱を透過させる材料で変形抑制部材３１を形成することで、変形抑制部材３１を定着ベルト２２の第１の部分Ｐ１の内周面と対向させても、ヒーター２４から定着ベルト２２の第１の部分Ｐ１に向かう輻射熱（図７の矢印Ｆ参照）が変形抑制部材３１によって遮断されなくなる。同様に、変形抑制部材３１を定着ベルト２２の第２の部分Ｐ２の内周面と対向させても、ヒーター２４から定着ベルト２２の第２の部分Ｐ２に向かう輻射熱（図７の矢印Ｇ参照）が変形抑制部材３１によって遮断されなくなる。これに伴って、ヒーター２４によって定着ベルト２２を効率的に加熱することが可能となる。また、上記のように変形抑制部材３１を定着ベルト２２の第１の部分Ｐ１及び各第２の部分Ｐ２の内周面と対向させることで、定着ベルト２２の変形を抑制する機能を高めることが可能となる。
【００７４】
なお、上記のようにヒーター２４から放射される輻射熱を透過させる材料で変形抑制部材３１が形成される場合には、図７に示されるように定着ベルト２２の第１の部分Ｐ１及び各第２の部分Ｐ２の内周面と変形抑制部材３１が対向していても良いし、定着ベルト２２の第１の部分Ｐ１のみに変形抑制部材３１が対向していても良い。即ち、少なくとも定着ベルト２２の第１の部分Ｐ１に変形抑制部材３１が対向していれば、定着ベルト２２の変形を抑制する機能を高めることが可能となる。
【００７５】
本実施形態では、ハロゲンヒーターをヒーター２４として用いる場合について説明したが、他の異なる実施形態では、セラミックヒーターなどをヒーターとして用いても良い。
【００７６】
本実施形態では、プリンター１に本発明の構成を適用する場合について説明したが、他の異なる実施形態では、複写機、ファクシミリ、複合機等の他の画像形成装置に本発明の構成を適用することも可能である。
【符号の説明】
【００７７】
１  プリンター（画像形成装置）
１８  定着装置
２２  定着ベルト
２３  加圧ローラー（加圧部材）
２４  ヒーター（熱源）
２７  押圧部材
２９  サーモカット（加熱停止装置）
３１  変形抑制部材
３５  （定着ベルトの）基材層
３６  （定着ベルトの）弾性層
３７  （定着ベルトの）離型層
３９  定着ニップ
Ａ  （定着ベルトの）回転軸
Ｐ１  （定着ベルトの）第１の部分（ヒーターに最も接近する部分）
Ｐ２  （定着ベルトの）第２の部分
【図１】
2016090889.tif 000003
【図２】
2016090889.tif 000004
【図３】
2016090889.tif 000005
【図４】
2016090889.tif 000006
【図５】
2016090889.tif 000007
【図６】
2016090889.tif 000008
【図７】
2016090889.tif 000009